(57)【要約】【課題】表示装置を用いて建物内のスタート位置から目的位置までの間のロック解除手順を体験できるロック解除体験装置及びロック解除用プログラムを提供する。【解決手段】ＣＰＵ２が、建物全体画像Ｐ1に当該建物内での位置を表す位置画像Ｐ2を重ねた第１表示画面Ｓ21をタッチパネル６に表示させると共に、位置画像Ｐ2が表す位置に人が立ったときに見える画像を表示する第２表示画面Ｓ22を第１表示画面Ｓ21と並べてタッチパネル６に表示させる。また、位置画像Ｐ2を建物全体画像Ｐ1内のエントランス・アプローチから住戸内に向かって移動させ、ロック箇所（エントランス（風除室）、１階エレベータホール、住戸玄関、住戸内）に到達する毎に位置画像Ｐ2の移動を停止させ、停止後、タッチパネル６に表示された非接触キーリーダーＰ511などのロック解除操作部が選択されて操作が行われると位置画像Ｐ2を再び住戸内に向かって移動させる。【選択図】図６
2014038124.tif 000002
【特許請求の範囲】
【請求項１】
表示装置を用いて建物内のスタート位置から目的位置までの間のロック解除手順を体験させるロック解除体験装置であって、
建物全体画像に当該建物内での位置を表す位置画像を重ねた第１表示画面を前記表示装置に表示させる第１表示制御手段と、
前記位置画像が表す位置に人が立ったときに見える画像を表示する第２表示画面を前記第１表示画面と並べて前記表示装置に表示させる第２表示制御手段と、を備え、
前記第１表示制御手段が、前記位置画像を前記建物全体画像内のスタート位置から目的位置に向かって移動させ、ロック箇所に到達する毎に前記位置画像の移動を停止させ、停止後、前記表示装置に表示されたロック解除操作部が選択されて操作が行われると前記位置画像を再び目的位置に向かって移動させる
ことを特徴とするロック解除体験装置。
【請求項２】
第２表示制御手段が、前記ロック解除操作部が選択されて操作が行われると、前記第２表示画面に表示されたドア又は窓を開く
ことを特徴とする請求項１に記載のロック解除体験装置。
【請求項３】
前記ロック箇所に到達して前記位置画像の移動が停止されると、当該ロック箇所に関する用語の用語アイコンを表示させ、前記用語アイコンが選択されて操作されると当該用語の解説を表示する第３表示制御手段を
さらに備えたことを特徴とする請求項１又は２に記載のロック解除体験装置。
【請求項４】
目的位置である住戸内に到達して前記表示装置に表示された住戸内セキュリティシステムの解除操作部が操作されると、住戸内セキュリティシステムを解除しないで住戸内の玄関ドア又は窓を開けたときに発生する警報音を発音装置から発生させる警報音発生手段を
さらに備えたことを特徴とする請求項１〜３何れか１項に記載のロック解除体験装置。
【請求項５】
表示装置を用いて建物内のスタート位置から目的位置までの間のロック解除手順を体験させるためのコンピュータを、
建物全体画像に当該建物内での位置を表す位置画像を重ねた第１表示画面を前記表示装置に表示させる第１表示制御手段と、
前記位置画像が表す位置に人が立ったときに見える画像を表示する第２表示画面を前記第１表示画面と並べて前記表示装置に表示させる第２表示制御手段と、として機能させ、
前記第１表示制御手段が、前記位置画像を前記建物全体画像内のスタート位置から目的位置に向かって移動させ、ロック箇所に到達する毎に前記位置画像の移動を停止させ、停止後、前記表示装置に表示されたロック解除操作部が選択されて操作が行われると前記位置画像を再び目的位置に向かって移動させる
ことを特徴とするロック解除体験プログラム。
【発明の詳細な説明】
【技術分野】
【０００１】
本発明は、ロック解除体験装置及びロック解除体験プログラムに関するものである。
【背景技術】
【０００２】
従来から、マンションなどの建物内において、建物入口の共同玄関や、個別の居住者用玄関などの複数個所にロック装置を設けて外来者の侵入を防ぐセキュリティシステムが提案されている。マンション販売などの営業活動でこのセキュリティシステムをお客様に説明するために、従来は例えばロック装置などの現物をマンションギャラリーに展示したり、パンフレットを用いて説明していたが、実際に共同玄関（スタート位置）から個別の住戸内（目的位置）までの間のロック解除手順を体験することができない、という問題があった。また、来訪者のロック解除手段については省略されることが多々あった。
【発明の概要】
【発明が解決しようとする課題】
【０００３】
そこで、本発明は、表示装置を用いて建物内のスタート位置から目的位置までの間のロック解除手順を体験できるロック解除体験装置及びロック解除用プログラムを提供することを課題とする。
【課題を解決するための手段】
【０００４】
上述した課題を解決するための請求項１記載の発明は、表示装置を用いて建物内のスタート位置から目的位置までの間のロック解除手順を体験させるロック解除体験装置であって、建物全体画像に当該建物内での位置を表す位置画像を重ねた第１表示画面を前記表示装置に表示させる第１表示制御手段と、前記位置画像が表す位置に人が立ったときに見える画像を表示する第２表示画面を前記第１表示画面と並べて前記表示装置に表示させる第２表示制御手段と、を備え、前記第１表示制御手段が、前記位置画像を前記建物全体画像内のスタート位置から目的位置に向かって移動させ、ロック箇所に到達する毎に前記位置画像の移動を停止させ、停止後、前記表示装置に表示されたロック解除操作部が選択されて操作が行われると前記位置画像を再び目的位置に向かって移動させることを特徴とするロック解除体験装置に存する。
【０００５】
請求項２記載の発明は、第２表示制御手段が、前記ロック解除操作部が選択されて操作が行われると、前記第２表示画面に表示されたドア又は窓を開くことを特徴とする請求項１に記載のロック解除体験装置に存する。
【０００６】
請求項３記載の発明は、前記ロック箇所に到達して前記位置画像の移動が停止されると、当該ロック箇所に関する用語の用語アイコンを表示させ、前記用語アイコンが選択されて操作されると当該用語の解説を表示する第３表示制御手段をさらに備えたことを特徴とする請求項１又は２に記載のロック解除体験装置に存する。
【０００７】
請求項４記載の発明は、目的位置である住戸内に到達して前記表示装置に表示された住戸内セキュリティシステムの解除操作部が操作されると、住戸内セキュリティシステムを解除しないで住戸内の玄関ドア又は窓を開けたときに発生する警報音を発音装置から発生させる警報音発生手段をさらに備えたことを特徴とする請求項１〜３何れか１項に記載のロック解除体験装置に存する。
【０００８】
請求項５記載の発明は、表示装置を用いて建物内のスタート位置から目的位置までの間のロック解除手順を体験させるためのコンピュータを、建物全体画像に当該建物内での位置を表す位置画像を重ねた第１表示画面を前記表示装置に表示させる第１表示制御手段と、前記位置画像が表す位置に人が立ったときに見える画像を表示する第２表示画面を前記第１表示画面と並べて前記表示装置に表示させる第２表示制御手段と、として機能させ、前記第１表示制御手段が、前記位置画像を前記建物全体画像内のスタート位置から目的位置に向かって移動させ、ロック箇所に到達する毎に前記位置画像の移動を停止させ、停止後、前記表示装置に表示されたロック解除操作部が選択されて操作が行われると前記位置画像を再び目的位置に向かって移動させることを特徴とするロック解除体験プログラムに存する。
【発明の効果】
【０００９】
以上説明したように請求項１、２及び５記載の発明によれば、表示装置を用いて建物内のスタート位置から目的位置までの間のロック解除手順を居住者、来訪者ともに体験できる。
【００１０】
請求項３記載の発明によれば、そのロック箇所についての詳しい説明を表示することができる。
【００１１】
請求項４記載の発明によれば、住戸内セキュリティシステムの解除操作部の操作に応じて、住戸内セキュリティシステムを解除しないで住戸の窓やドアを空けようとしたときに発生させる警報音を体験できる。
【図面の簡単な説明】
【００１２】
【図１】本発明のロック解除体験装置の一実施形態を示すブロック図である。
【図２】図１に示すロック解除体験装置を構成するＣＰＵの居住者用のロック解除体験処理手順を示すフローチャートである。
【図３】図１に示すロック解除体験装置を構成するＣＰＵの来訪者用のロック解除体験処理手順を示すフローチャートである。
【図４】図１に示すタッチパネルに表示される初期画面を示す図である。
【図５】居住者用のロック解除体験処理の実行中において、位置画像がエントランス・アプローチにあるときに図１に示すタッチパネルに表示される画面を示す図である。
【図６】居住者用のロック解除体験処理の実行中において、位置画像がエントランス（風除室）にあるときに図１に示すタッチパネルに表示される画面を示す図である。
【図７】居住者用のロック解除体験処理の実行中において、位置画像が１階エレベータホールにあるときに図１に示すタッチパネルに表示される画面を示す図である。
【図８】居住者用のロック解除体験処理の実行中において、位置画像が住戸玄関にあるときに図１に示すタッチパネルに表示される画面を示す図である。
【図９】居住者用のロック解除体験処理の実行中において、位置画像が住戸内にあるときに図１に示すタッチパネルに表示される画面を示す図である。
【図１０】居住者用のロック解除体験処理の実行中において、位置画像が住戸内にあるときに図１に示すタッチパネルに表示される画面を示す図である。
【図１１】来訪者用のロック解除体験処理の実行中において、位置画像がエントランス・アプローチにあるときに図１に示すタッチパネルに表示される画面を示す図である。
【図１２】来訪者用のロック解除体験処理の実行中において、位置画像がエントランス（風除室）にあるときに図１に示すタッチパネルに表示される画面を示す図である。
【図１３】来訪者用のロック解除体験処理の実行中において、位置画像が１階エレベータホールにあるときに図１に示すタッチパネルに表示される画面を示す図である。
【図１４】来訪者用のロック解除体験処理の実行中において、位置画像が住戸玄関にあるときに図１に示すタッチパネルに表示される画面を示す図である。
【発明を実施するための形態】
【００１３】
以下、本発明のロック解除体験装置について図１を参照して説明する。同図に示すように、ロック解除体験装置１は、公知であるコンピュータを用いており、予め定めたプログラムに従って装置全体の動作の制御などを行う中央演算処理装置（ＣＰＵ）２を有している。このＣＰＵ２には、バスＢを介してＣＰＵ２のためのプログラムなどを格納した読み出し専用のメモリであるＲＯＭ３と、ＣＰＵ２の処理作業に必要な各種データを格納する作業エリア等を有する読み出し書き込み自在のメモリであるＲＡＭ４と、が接続されている。
【００１４】
ＣＰＵ２には、記憶装置５がバスＢを介して接続されており、この記憶装置５にはハードディスク装置、大容量のメモリなどが用いられる。記憶装置５には、ロック解除体験プログラムが記憶されている。このロック解除体験プログラムは、ＣＤ−ＲＯＭ等からインストールされたり、ネットワークを介してダウンロードされ記憶装置５に記憶される。また、上記ＣＰＵ２には、表示装置としての周知のタッチパネル６と発音装置としてのスピーカ７とがバスＢを介して接続されている。
【００１５】
次に、上述したＣＰＵ２が記憶装置５のロック解除体験プログラムを実行したときのロック解除体験処理の一例を、図２及び図３のフローチャート及び図４〜図１４に示すタッチパネル６に表示される表示画面を参照して以下に説明する。まず、電源オンなどに応じてＣＰＵ２は、タッチパネル６に図４に示すような初期画面Ｓ1を表示する。初期画面Ｓ1は、居住者用のロック解除体験処理を選択するための居住者用アイコンＩ1と、来訪者用のロック解除体験処理を選択する来訪者用アイコンＩ2と、が並べて表示されている。
【００１６】
タッチパネル６上に表示された居住者用アイコンＩ1が操作されると、ＣＰＵ２は、図２に示す居住者用のロック解除体験処理を開始する。居住者用のロック解除体験処理の開始に応じてＣＰＵ２は、第１表示制御手段及び第２表示制御手段として機能し、まず図５に示すように建物全体画像Ｐ1にその建物内での位置を表す位置画像Ｐ2を重ねた第１表示画面Ｓ21と、位置画像Ｐ2が表す位置に居住者（人）が立ったときに見える画像を表示する第２表示画面Ｓ22と、を並べて配置する（ステップＳ１１）。なお、建物全体画像Ｐ1は、建物全体を示す透過斜視図から構成されている。位置画像Ｐ2は、最初は建物全体画像Ｐ1上のエントランス・アプローチ（スタート位置）に位置している。
【００１７】
その後、ＣＰＵ２は、図５及び図６に示すように位置画像Ｐ2をエントランス・アプローチから最初のロック箇所であるエントランス（風除室）まで移動させた後、停止させる（ステップＳ１２）。このとき、ＣＰＵ２は、建物全体画像Ｐ1に進入軌跡Ｐ3も重ねて表示する。また、ＣＰＵ２は、第２表示画面Ｓ22に位置画像Ｐ2の移動に応じて図５に示すエントランス・アプローチの自動ドアを開いてエントランス・アプローチからエントランス(風除室)まで移動する居住者視点の動画を表示させる。
【００１８】
位置画像Ｐ2のエントランス（風除室）での移動停止後、ＣＰＵ２は、エントランス（風除室）での表示処理を実行する（ステップＳ１３）。このエントランス（風除室）での表示処理において、まずＣＰＵ２は、図６に示すように、第２表示画面Ｓ22に表示された操作パネルＰ41の拡大画像である拡大操作パネルＰ51を表示させると共に「操作パネルの非接触キーリーダーに触れてください。」という操作指示文Ｐ61を表示する。このとき拡大操作パネルＰ51の非接触キーリーダーＰ511（ロック解除操作部）を光らせる。また、ＣＰＵ２は、第３表示制御手段として働き、エントランス（風除室）でのロックに関する用語の用語アイコンＩ71を表示させる。そして、用語アイコンＩ71が操作されると、ＣＰＵ２は、用語アイコンＩ71に対応する用語の解説文を表示する。
【００１９】
タッチパネル６により拡大操作パネルＰ51の非接触キーリーダーＰ511が選択されて操作され、解除操作が完了すると（ステップＳ１４でＹ）、ＣＰＵ２は、スピーカ７から操作音を発生させると共に、図６の第２表示画面Ｓ22に表示されたエントランス（風除室）の自動ドアを開いた後、図６及び図７に示すように、位置画像Ｐ2をエントランス（風除室）から次のロック箇所である１階エレベータホールまで移動させた後、停止させる（ステップＳ１５）。このとき、ＣＰＵ２は、第２表示画面Ｓ22に位置画像Ｐ2の移動に応じてエントランス(風除室)から１階エレベータホールまで移動する居住者視点の動画を表示させる。
【００２０】
位置画像Ｐ2の１階エレベータホールでの移動停止後、ＣＰＵ２は、１階エレベータホールでの表示処理を実行する（ステップＳ１６）。１階エレベータホールでの表示処理において、まずＣＰＵ２は、第２表示画面Ｓ22に表示された操作パネルＰ42の拡大画像である拡大操作パネルＰ52を表示させると共に「操作パネルの非接触キーリーダーに触れてください。」という操作指示文Ｐ62を表示する。このとき拡大操作パネルＰ52の非接触キーリーダーＰ521（ロック解除操作部）を光らせる。また、ＣＰＵ２は、１階エレベータホールでのロックに関する用語の用語アイコンＩ72〜Ｉ74を表示させる。そして、用語アイコンＩ72〜Ｉ74が操作されると、ＣＰＵ２は、用語アイコンＩ72〜Ｉ74に対応する用語の解説文を表示する。
【００２１】
タッチパネル６により拡大操作パネルＰ52の非接触キーリーダーＰ521が選択されて操作されると、ＣＰＵ２は、スピーカ７から操作音を発生させると共に、操作指示文Ｐ62の代わりに「セキュリティエレベータシステムが解除されました。続けて操作パネルの↑ボタンを押してください」という操作指示文を表示すると共に、拡大操作パネルＰ52の↑ボタンＰ522（ロック解除操作部）を光らせる。タッチパネル６により拡大操作パネルＰ52の↑ボタンＰ522が操作され、解除操作が完了すると（ステップＳ１７でＹ）、ＣＰＵ２は、図７の第２表示画面Ｓ22に表示されたエレベータのドアを開いた後、図７及び図８に示すように位置画像Ｐ2を１階エレベータホールから次のロック箇所である住戸玄関まで移動させた後、停止させる（ステップＳ１８）。このとき、ＣＰＵ２は、第２表示画面Ｓ22に位置画像Ｐ2の移動に応じた１階エレベータホールから住戸玄関まで移動する居住者視点の動画を表示させる。また、ＣＰＵ２は、建物全体画像Ｐ1から１階部分を消す。
【００２２】
位置画像Ｐ2の住戸玄関での停止後、ＣＰＵ２は、住戸玄関での表示処理を実行する（ステップＳ１９）。住戸玄関での表示処理において、まずＣＰＵ２は、第２表示画面Ｓ22に表示されたシリンダー錠Ｐ43の拡大画像である拡大シリンダー錠Ｐ53を表示させると共に「（防犯セット時）上部シリンダー錠で住戸内のセキュリティシステムのＯＮ／ＯＦＦ操作できます。」という操作指示文Ｐ63を表示する。このとき、拡大シリンダー錠Ｐ53の上部シリンダー錠Ｐ531（ロック解除操作部）を光らせる。また、ＣＰＵ２は、居住者玄関でのロックに関する用語の用語アイコンＩ75〜Ｉ79を表示させる。そして、用語アイコンＩ75〜Ｉ79が操作されると、ＣＰＵ２は、用語アイコンＩ75〜Ｉ79に対応する用語の解説文を表示する。
【００２３】
タッチパネル６により拡大シリンダー錠Ｐ53の上部シリンダー錠Ｐ531が選択されて操作されると、次に、ＣＰＵ２は、操作指示文Ｐ63の代わりに「（玄関解除時）上下のシリンダー錠部分を押してください※実際には、シリンダー錠部分に住戸キーを差し込み、解除します。」という操作指示文を表示すると共に、拡大シリンダー錠Ｐ53の上下部シリンダー錠Ｐ531、Ｐ532を光らせる。タッチパネル６により拡大シリンダー錠Ｐ53の上下部シリンダー錠Ｐ531、Ｐ532が操作され、解除操作が完了すると（ステップＳ２０でＹ）、ＣＰＵ２は、図８の第２表示画面Ｓ２２に表示された住戸玄関のドアを開いた後、図９に示すように位置画像Ｐ2を住戸玄関から次のロック箇所である住戸内（目的位置）まで移動させた後、停止させる（ステップＳ２１）。このとき、ＣＰＵ２は、第２表示画面Ｓ22に位置画像Ｐ2の移動に応じた住戸玄関から住戸内まで移動する居住者視点の動画を表示させる。
【００２４】
位置画像Ｐ2の住戸内での停止後、ＣＰＵ２は、住戸内での表示処理を実行する（ステップＳ２２）。住戸内での表示処理において、まずＣＰＵ２は、拡大操作パネルＰ54を表示させると共に「住戸内のセキュリティシステムを解除すると、玄関ドア・窓が開放されても警報は発生されません。※一部の窓を除きます。」という操作指示文Ｐ64を表示する。このとき拡大操作パネルＰ54の解除ボタンＰ541（住戸内セキュリティシステムの解除操作部）を光らせる。また、ＣＰＵ２は、住戸内でのロックに関する用語の用語アイコンＩ80〜Ｉ83を表示させる。そして、用語アイコンＩ80〜Ｉ83が操作されると、ＣＰＵ２は、用語アイコンＩ80〜Ｉ83に対応する用語の解説文を表示する。
【００２５】
タッチパネル６により拡大操作パネルＰ54の解除ボタンＰ541が選択されて操作されると、ＣＰＵ２は、タッチパネル６に「セキュリティシステムが作動しました」と記載された吹き出しを表示する。その後、ＣＰＵ２は、図１０に示すように、第２表示画面Ｓ22に表示された住戸内の窓をあけた後、警報発生手段として働き、スピーカ７から警報音を発生させると共に「住戸内のセキュリティシステム作動後、玄関ドア・窓が開放されると警報がなります。※一部の窓を除きます。」という文書を表示する。ＣＰＵ２は、警報音が鳴り終わると、図９に示すように、第２表示画面Ｓ22に表示された住戸内の窓を閉めた後、再び拡大操作パネルＰ54の解除ボタンＰ541が選択されて操作されるのを待つ。その後、解除ボタンＰ541が操作されると、ＣＰＵ２は、タッチパネル６に「セキュリティシステムが解除されました。」という吹き出しを表示する。その後、ＣＰＵ２は、図１０に示すように、第２表示画像Ｓ22に表示された住戸内の窓を開けた後、「住戸内のセキュリティシステムを解除すると、玄関ドア・窓が開放されても警報は発報されません。※一部の窓を除きます。」という操作指示文Ｐ64を表示した後、処理を終了する。スピーカ７から発生する警報音は、解除ボタンＰ541を操作しないで窓を開けたときに実際に発生する警報音と同じものである。また、ロック解除時等、実際に合わせて警報音を体験できる。
【００２６】
一方、タッチパネル６上に表示された来訪者用アイコンＩ2が操作されると、ＣＰＵ２は、図３に示す来訪者用のロック解除体験処理を開始する。来訪者のロック解除体験処理の開始に応じてＣＰＵ２は、第１表示制御手段及び第２表示制御手段として機能し、まず図１１に示すように建物全体画像Ｐ1にその建物内での位置を表す位置画像Ｐ2を重ねた第１表示画面Ｓ21と、位置画像Ｐ2が表す位置に来訪者（人）が立ったときに見える画像を表示する第２表示画面Ｓ22と、を並べて配置する（ステップＳ３１）。
【００２７】
その後、ＣＰＵ２は、図１２に示すように位置画像Ｐ2をエントランス・アプローチから最初のロック箇所であるエントランス（風除室）まで移動させた後、停止させる（ステップＳ３２）。ステップＳ３２は、上述したステップＳ１２と同じであるため、ここでは詳細な説明を省略する。
【００２８】
位置画像Ｐ2のエントランス（風除室）での移動停止後、ＣＰＵ２は、エントランス（風除室）での表示処理を実行する（ステップＳ３３）。エントランス（風除室）での表示処理において、まずＣＰＵ２は、第２表示画面Ｓ22に表示された操作パネルＰ41の拡大画像である拡大操作パネルＰ51を表示させると共に「部屋番号を押してください。」という操作指示文Ｐ65を表示する。このとき、拡大操作パネルＰ51のテンキーＰ512（ロック解除操作部）を光らせる。
【００２９】
タッチパネル６により拡大操作パネルＰ51のテンキーＰ512が選択されて操作されると、ＣＰＵ２は、住戸に設置される操作パネルＰ54を表示させると共に「住戸内のインターホンで来訪者の画像と音声にて確認できます。解除ボタンを押してください。」という操作指示文Ｐ66を表示する。タッチパネル６により操作パネルＰ54の解除ボタンＰ541が選択されて操作され、解除操作が完了すると（ステップＳ３４でＹ）、ＣＰＵ２は、図１２の第２表示画面Ｓ22に表示されたエントランス（風除室）の自動ドアを開いた後、図１２及び図１３に示すように、位置画像Ｐ2をエントランス（風除室）から次のロック箇所である１階エレベータホールまで移動させた後、停止させる（ステップＳ３５）。ステップＳ３５は、上述したステップＳ１５と同じであるため、ここでは詳細な説明を省略する。
【００３０】
位置画像Ｐ2の１階エレベータホールでの移動停止後、ＣＰＵ２は、１階エレベータホールでの表示処理を実行する（ステップＳ３６）。１階エレベータホールでの表示処理において、まずＣＰＵ２は、第２表示画面Ｓ22に表示された操作パネルＰ42の拡大画像である拡大操作パネルＰ52を表示させると共に「ＬＯＣＫ１のオートロック解除後、一定時間のみセキュリティエレベータシステムは解除されます。↑ボタンを押してください。」という操作指示文Ｐ67を表示する。このとき拡大操作パネルＰ52の↑ボタンＰ522を光らせる。
【００３１】
タッチパネル６により拡大操作パネルＰ52の↑ボタンＰ522が操作され、解除操作が完了すると（ステップＳ３７でＹ）、ＣＰＵ２は、図１３の第２表示画面Ｓ22に表示されたエレベータのドアを開いた後、図１４に示すように位置画像Ｐ2を１階エレベータホールから次のロック箇所である住戸玄関まで移動させた後、停止させる（ステップＳ３８）。ステップＳ３８は、上述したステップＳ１８と同じであるため、ここでは詳細な説明を省略する。
【００３２】
位置画像Ｐ2の住戸玄関での停止後、ＣＰＵ２は、住戸玄関での表示処理を実行する（ステップＳ３９）。住戸玄関での表示処理において、まずＣＰＵ２は、第２表示画面Ｓ22に表示されたインターホンＰ44の拡大画像である拡大インターホンＰ55（ロック解除操作部画像）を表示させると共に「インターホンの呼びボタンを押してください。」という操作指示文Ｐ68を表示する。このとき拡大インターホンＰ55を光らせる。
【００３３】
タッチパネル６により拡大インターホンＰ55が選択されて操作されると、ＣＰＵ２は、住戸に設置される操作パネルＰ54を表示させると共に「住戸内インターホンで来訪者を音声にて確認できます。」という操作指示文Ｐ69を表示する。その後、ＣＰＵ２は、第２表示画面Ｓ22のドアを開くと共に「※実際にはドアは自動では開きません。」と表示した後、処理を終了する。
【００３４】
上述した実施形態によれば、ＣＰＵ２が、建物全体画像Ｐ1に当該建物内での位置を表す位置画像Ｐ2を重ねた第１表示画面Ｓ21をタッチパネル６に表示させると共に、位置画像Ｐ2が表す位置に人が立ったときに見える画像を表示する第２表示画面Ｓ22を第１表示画面Ｓ21と並べてタッチパネル６に表示させる。また、ＣＰＵ２が、位置画像Ｐ2を建物全体画像Ｐ1内のスタート位置であるエントランス・アプローチから住居者用の目的位置である住戸内又は来訪者用の目的位置である住戸玄関に向かって移動させ、ロック箇所（エントランス（風除室）、１階エレベータホール、住戸玄関、住戸内）に到達する毎に位置画像Ｐ2の移動を停止させ、停止後、タッチパネル６に表示された非接触キーリーダーＰ511、Ｐ521や上下シリンダー錠Ｐ531、Ｐ532などのロック解除操作部が選択されて操作が行われると位置画像Ｐ2を再び目的位置に向かって移動させる。また、ＣＰＵ２が、非接触キーリーダーＰ511、Ｐ521や上下シリンダー錠Ｐ531、Ｐ532などのロック解除操作部が選択されて操作が行われると、第２表示画面Ｓ22に表示されたドア又は窓を開く。これにより、タッチパネル６を用いて建物内のスタート位置から目的位置までの間のロック解除手順を住居者、来訪者とも体験できる。
【００３５】
また、上述した実施形態によれば、ＣＰＵ２が、ロック箇所に到達して位置画像Ｐ2の移動が停止されると、当該ロック箇所に関する用語の用語アイコンＩ71〜Ｉ83を表示させ、用語アイコンＩ71〜Ｉ83が選択されて操作されると当該用語の解説を表示する。これにより、そのロック箇所についての詳しい説明を表示することができる。
【００３６】
なお、上述した実施形態では、４箇所がロック箇所となっていたが、本発明はこれに限ったものではなく、紹介したい建物に実際に設けられるロック箇所数にすることが考えられる。
【００３７】
また、上述した実施形態では、１階エレベータホールから住戸玄関に移動するときに、建物全体画像Ｐ1の１階部分を消していたが、本発明はこれに限ったものではない。１階部分は消さなくてもよい。
【００３８】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３９】
１  ロック解除体験装置
２  ＣＰＵ（第１表示制御手段、第２表示制御手段、第３表示制御手段、警報発生手段）
６  タッチパネル（表示装置）
７  スピーカ（発音装置）
Ｉ71〜Ｉ83  用語アイコン
Ｐ1  建物全体画像
Ｐ2  位置画像
Ｐ511  非接触キーリーダー（ロック解除操作部）
Ｐ512  テンキー（ロック解除操作部）
Ｐ521  非接触キーリーダー（ロック解除操作部）
Ｐ522  ↑ボタン（ロック解除操作部）
Ｐ531  上部シリンダー錠（ロック解除操作部）
Ｐ532  下部シリンダー錠（ロック解除操作部）
Ｐ541  解除ボタン（ロック解除操作部）
Ｐ542  インターホンボタン（ロック解除操作部）
Ｓ21  第１表示画面
Ｓ22  第２表示画面
【図１】
2014038124.tif 000003
【図２】
2014038124.tif 000004
【図３】
2014038124.tif 000005
【図４】
2014038124.tif 000006
【図５】
2014038124.tif 000007
【図６】
2014038124.tif 000008
【図７】
2014038124.tif 000009
【図８】
2014038124.tif 000010
【図９】
2014038124.tif 000011
【図１０】
2014038124.tif 000012
【図１１】
2014038124.tif 000013
【図１２】
2014038124.tif 000014
【図１３】
2014038124.tif 000015
【図１４】
2014038124.tif 000016